(57)【要約】【課題】画像を視認し難くすることができるとともに、特別な環境下でなくても視認可能とすることができる技術を提供する。【解決手段】視認者が視認する対象となる特殊画像を取得する取得部２２と、特殊画像の視認性の度合いを受け付ける表示機構２０５と、表示機構２０５が受け付けた度合いとなるように特殊画像を変更する画像変更部２３と、画像変更部２３が変更した変更画像に応じた画像についての出力物を出力する画像出力部２６と、を備え、画像変更部２３は、視認者が出力物を視認するときの出力物との位置関係によって視認性の度合いが変わるように変更する。【選択図】図４
2018046380.tif 000002
【特許請求の範囲】
【請求項１】
視認者が視認する対象となる対象画像を取得する取得手段と、
前記対象画像の視認性の度合いを受け付ける受付手段と、
前記受付手段が受け付けた前記度合いとなるように前記対象画像を変更する画像変更手段と、
前記画像変更手段が変更した変更画像に応じた画像についての出力物を出力する出力手段と、
を備え、
前記画像変更手段は、前記視認者が前記出力物を視認するときの当該出力物との位置関係によって前記視認性の度合いが変わるように変更する画像処理装置。
【請求項２】
前記変更画像は、前記対象画像の形状又は濃度を変化させたものである
請求項１に記載の画像処理装置。
【請求項３】
前記受付手段が受け付けた前記度合いとなるように前記対象画像又は前記画像変更手段が変更した変更画像を加工する画像加工手段をさらに備える
請求項１又は２に記載の画像処理装置。
【請求項４】
ベースとなる基準画像と、前記画像変更手段が変更した変更画像又は前記画像加工手段が加工した加工画像とを合成する画像合成手段をさらに備え、
前記出力手段は、前記画像合成手段が合成した合成画像についての出力物を出力する
請求項３に記載の画像処理装置。
【請求項５】
前記画像合成手段は、前記変更画像又は前記加工画像の諧調を反転した後に合成する
請求項４に記載の画像処理装置。
【請求項６】
前記対象画像を視認可能とする条件を示唆する示唆画像を前記画像合成手段が合成した合成画像に付与する示唆画像付与手段をさらに備える
請求項４又は５に記載の画像処理装置。
【請求項７】
視認者が視認する対象となる対象画像を表示する対象画像表示部と、
前記対象画像の視認性の度合いの指定を受け付ける受付部と、
前記受付部が受け付けた前記度合いとなるように前記対象画像が変更された変更画像を出力画像として表示する出力画像表示部と、
を備える表示装置。
【請求項８】
前記出力画像表示部は、前記受付部が受け付けた前記度合いとなるように、前記対象画像又は前記変更画像が加工された加工画像を表示する
請求項７に記載の表示装置。
【請求項９】
前記出力画像表示部は、ベースとなる基準画像と、前記変更画像又は前記加工画像とが合成された合成画像を表示する
請求項８に記載の表示装置。
【発明の詳細な説明】
【技術分野】
【０００１】
本発明は、画像処理装置、表示装置に関する。
【背景技術】
【０００２】
従来、特定の環境下でのみ画像を視認可能とする技術が提案されている。
例えば、特許文献１には、画像を表示する表示部と、表示部に表示すべき画像を生成する画像生成部と、表示部に表示される画像を透過または遮断する光学素子と、を備え、画像生成部は、正規画像と秘匿用画像とを生成し、正規画像と秘匿用画像とが合成されるように表示部へ正規画像および秘匿用画像の画像データを送信し、光学素子は、正規画像を透過し、秘匿用画像を遮断し、秘匿用画像は、正規画像を少なくとも水平方向または垂直方向に所定の画素数に区切られた反転区間において画素の並びを反転させた画像であるシステムが記載されている。
【先行技術文献】
【特許文献】
【０００３】
【特許文献１】特開２０１５−１８７７００号公報
【発明の概要】
【発明が解決しようとする課題】
【０００４】
見せたい又は見たい画像であるが視認し難くさせた画像を、例えば専用のメガネをかけるなどの特別な環境下でなくても視認できるようにすることが望ましい。
本発明は、画像を視認し難くすることができるとともに、特別な環境下でなくても視認可能とすることができる装置を提供することを目的とする。
【課題を解決するための手段】
【０００５】
請求項１に記載の発明は、視認者が視認する対象となる対象画像を取得する取得手段と、前記対象画像の視認性の度合いを受け付ける受付手段と、前記受付手段が受け付けた前記度合いとなるように前記対象画像を変更する画像変更手段と、前記画像変更手段が変更した変更画像に応じた画像についての出力物を出力する出力手段と、を備え、前記画像変更手段は、前記視認者が前記出力物を視認するときの当該出力物との位置関係によって前記視認性の度合いが変わるように変更する画像処理装置である。
請求項２に記載の発明は、前記変更画像は、前記対象画像の形状又は濃度を変化させたものである請求項１に記載の画像処理装置である。
請求項３に記載の発明は、前記受付手段が受け付けた前記度合いとなるように前記対象画像又は前記画像変更手段が変更した変更画像を加工する画像加工手段をさらに備える請求項１又は２に記載の画像処理装置である。
請求項４に記載の発明は、ベースとなる基準画像と、前記画像変更手段が変更した変更画像又は前記画像加工手段が加工した加工画像とを合成する画像合成手段をさらに備え、前記出力手段は、前記画像合成手段が合成した合成画像についての出力物を出力する請求項３に記載の画像処理装置である。
請求項５に記載の発明は、前記画像合成手段は、前記変更画像又は前記加工画像の諧調を反転した後に合成する請求項４に記載の画像処理装置である。
請求項６に記載の発明は、前記対象画像を視認可能とする条件を示唆する示唆画像を前記画像合成手段が合成した合成画像に付与する示唆画像付与手段をさらに備える請求項４又は５に記載の画像処理装置である。
請求項７に記載の発明は、視認者が視認する対象となる対象画像を表示する対象画像表示部と、前記対象画像の視認性の度合いの指定を受け付ける受付部と、前記受付部が受け付けた前記度合いとなるように前記対象画像が変更された変更画像を出力画像として表示する出力画像表示部と、を備える表示装置である。
請求項８に記載の発明は、前記出力画像表示部は、前記受付部が受け付けた前記度合いとなるように、前記対象画像又は前記変更画像が加工された加工画像を表示する請求項７に記載の表示装置である。
請求項９に記載の発明は、前記出力画像表示部は、ベースとなる基準画像と、前記変更画像又は前記加工画像とが合成された合成画像を表示する請求項８に記載の表示装置である。
【発明の効果】
【０００６】
請求項１の発明によれば、視認者が視認する対象画像を視認し難くすることができるとともに、特別な環境下でなくても視認可能とすることができる。
請求項２の発明によれば、視認し難いが特別な環境下でなくても視認可能となる画像についての出力物を簡易に出力することができる。
請求項３の発明によれば、視認性の度合いを精度高く調整することができる。
請求項４の発明によれば、簡易に視認性の度合いを精度高く調整することができる。
請求項５の発明によれば、視認性の度合いを精度高く低下することができる。
請求項６の発明によれば、視認者が視認可能となる条件を容易に把握することができる。
請求項７の発明によれば、視認性の度合いの指定や視認性の度合いが調整された画像の確認を簡易に行わせることができる。
請求項８の発明によれば、視認性の度合いが調整された加工画像の確認を簡易に行わせることができる。
請求項９の発明によれば、視認性の度合いが調整された合成画像の確認を簡易に行わせることができる。
【図面の簡単な説明】
【０００７】
【図１】本発明の実施の形態に係る画像形成システムの概略構成を例示した図である。
【図２】実施の形態に係る画像形成装置のハードウェア構成を例示したブロック図である。
【図３】実施の形態に係る処理装置のハードウェア構成を例示したブロック図である。
【図４】処理装置の機能構成を例示したブロック図である。
【図５】基準画像、特殊画像、視認性制御データの一例を示す図である。
【図６】表示機構に表示されるメニュー画面の一例を示した図である。
【図７】表示機構に表示される視認性制御詳細設定画面の一例を示した図である。
【図８】（ａ）は特殊画像の一例を示す図であり、（ｂ）、（ｃ）は変更後特殊画像の一例を示す図である。
【図９】（ａ）は媒体面と視認角度θとの関係を示す図である。（ｂ）は図８（ｃ）に示した変更後特殊画像を視認角度θから見た図の概略図である。
【図１０】（ａ）は特殊画像の一例を示す図であり、（ｂ）、（ｃ）は変更後特殊画像の他の例を示す図である。
【図１１】（ａ）は視認性制御データの一例を示す図であり、（ｂ）、（ｃ）は加工後特殊画像の一例を示す図である。
【図１２】合成画像が形成された記録媒体を示す図である。
【図１３】図１２に示した記録媒体を視認角度θから見た図の概略図である。
【図１４】複数の特殊画像を組み合わせた場合の合成画像を示す図である。
【発明を実施するための形態】
【０００８】
以下、添付図面を参照して、実施の形態について詳細に説明する。
図１は、本発明の実施の形態に係る画像形成システム１（以下、単に「システム１」と称す）の概略構成を例示した図である。
システム１は、原稿の複写機能、読み取った原稿の画像データを生成する機能、画像データが示す画像を記録媒体に形成する機能を有する画像形成装置１０を備えている。
また、システム１は、ユーザが入力した情報を受け付けたりユーザに対して情報を出力したりする処理装置２０を備えている。
また、システム１は、画像形成装置１０や処理装置２０からの要求を受けてサービスを提供するサーバ装置３０を備えている。
画像形成装置１０、処理装置２０及びサーバ装置３０は装置間を通信可能に接続する通信回線４０に接続されており、通信回線４０を介して互いに通信を行うことが可能となっている。通信回線４０としては、ＬＡＮ（Local Area Network）やインターネットであることを例示することができる。
【０００９】
図２は、実施の形態に係る画像形成装置１０のハードウェア構成を例示したブロック図である。
画像形成装置１０は、バス１０１に接続された、ＣＰＵ（Central Processing Unit）１０２と、ＲＯＭ（Read Only Memory）１０３と、ＲＡＭ（Random Access Memory）１０４と、記憶部１０５とを有している。また、画像形成装置１０は、バス１０１に接続された、操作部１０６と、表示装置１０７と、画像読取部１０８と、画像形成部１０９と、通信部１１０とを有している。
【００１０】
ＲＯＭ１０３は、ＣＰＵ１０２により実行される制御プログラムを記憶している。ＣＰＵ１０２は、ＲＯＭ１０３に記憶されている制御プログラムを読み出し、ＲＡＭ１０４を作業エリアにして制御プログラムを実行する。ＣＰＵ１０２により制御プログラムが実行されると、ＣＰＵ１０２により画像形成装置１０の各部が制御される。これにより、画像形成装置１０は、例えば、記録媒体に画像を形成して出力すること、原稿を読み取って原稿の画像データを生成すること、通信回線４０（図１参照）を介して他の装置と通信を行うことが可能となる。
記憶部１０５は、記憶装置を具備しており、例えば通信部１１０で受信したデータや画像形成装置１０で生成されたデータを記憶する。
【００１１】
操作部１０６は、ユーザ操作を受け付けるための複数の操作手段を備えている。操作手段は、ハードウェアキーでもあってもよいし、表示装置１０７に表示され、押圧された位置に応じた制御信号を出力するタッチパネルによって構成してもよい。
表示装置１０７は、例えば液晶ディスプレイを有する表示装置であり、ＣＰＵ１０２の制御の下、例えば画像形成装置１０を操作するためのメニュー画面や画像形成装置１０に関するデータを表示する。表示装置１０７は、ユーザから受けた指示をＣＰＵ１０２が実現する制御部に出力するとともに制御部からの情報をユーザに提示するユーザインタフェース（ＵＩ）として機能する。
【００１２】
画像読取部１０８は、プラテンガラス（不図示）と、光を原稿の被読取面（画像面）へ照射する光照射ユニット（不図示）と、光照射ユニットから原稿の被読取面へ光が照射されて原稿の被読取面で反射した反射光を導く導光ユニット（不図示）と、導光ユニットによって導かれた光の光学像を結像する結像レンズ（不図示）とを備えている。また、画像読取部１０８は、結像レンズによって結像された光を光電変換するＣＣＤ（Charge Coupled Device）イメージセンサ等の光電変換素子で構成され、結像された光学像を検出する検出部（不図示）と、検出部と電気的に接続されて、検出部によって得られた電気信号が送られる画像処理部とを備えている。
そして、画像読取部１０８は、原稿搬送部によって搬送される原稿の画像、及びプラテンガラスに載せられた原稿の画像を読み取る。
【００１３】
画像形成部１０９は、一定の間隔を置いて並列的に配置されるイエロー、マゼンタ、シアン、黒の４つの画像形成ユニット（不図示）を備えている。各画像形成ユニットは、感光体ドラム（不図示）と、感光体ドラムの表面を一様に帯電する帯電器（不図示）と、トナーで現像し可視化する現像器（不図示）と、現像器に対して各色のトナーを供給するためのトナーカートリッジ（不図示）とを有している。
また、画像形成部１０９は、感光体ドラムに対してレーザ光を照射する光学系ユニット（不図示）と、感光体ドラムに形成された各色のトナー像を中間転写ベルト（不図示）上に多重転写させる中間転写ユニット（不図示）とを備えている。また、画像形成部１０９は、中間転写ユニット上に重畳されて形成されたトナー像を記録媒体に転写する二次転写ユニット（不図示）と、記録媒体上に形成されたトナー像を加熱及び加圧して定着する定着装置（不図示）とを備えている。
通信部１１０は、通信回線４０に接続されており、通信回線４０に接続されている他の装置と通信を行う通信インターフェース（通信Ｉ／Ｆ）として機能する。
なお、本明細書において、「記録媒体」は、画像を形成可能な媒体であれば、その材質は問わない。代表例は紙であるが、ＯＨＰシートや金属板等であってもよい。
【００１４】
なお、ＣＰＵ１０２によって実行されるプログラムは、磁気記録媒体（磁気テープ、磁気ディスク等）、光記録媒体（光ディスク等）、光磁気記録媒体、半導体メモリ等のコンピュータが読取可能な記録媒体に記憶した状態で提供し得る。また、インターネット等の通信手段を用いて画像形成装置１０にダウンロードさせてもよい。
【００１５】
図３は、実施の形態に係る処理装置２０のハードウェア構成を例示したブロック図である。
図３に示すように、処理装置２０は、ＣＰＵ２０１と、メインメモリ２０２及びＨＤＤ（Hard Disk Drive）２０３とを備える。ＣＰＵ２０１は、ＯＳ（Operating System）やアプリケーション等の各種ソフトウェアを実行する。また、メインメモリ２０２は、各種ソフトウェアやその実行に用いるデータ等を記憶する記憶領域である。ＨＤＤ２０３は、各種ソフトウェアに対する入力データや各種ソフトウェアからの出力データ等を記憶する記憶領域である。
また、処理装置２０は、外部との通信を行うための通信インターフェース（以下、「通信Ｉ／Ｆ」と表記する）２０４と、ビデオメモリやディスプレイ等からなる表示機構２０５と、キーボードやマウス等の入力デバイス２０６とを備える。
【００１６】
また、図３は、サーバ装置３０のハードウェア構成を例示したブロック図として捉えることもできる。すなわち、サーバ装置３０は、ＣＰＵ２０１と、メインメモリ２０２と、ＨＤＤ２０３と、通信Ｉ／Ｆ２０４と、表示機構２０５と、入力デバイス２０６とを備えている。
【００１７】
なお、ＣＰＵ２０１によって実行されるプログラムは、磁気記録媒体（磁気テープ、磁気ディスク等）、光記録媒体（光ディスク等）、光磁気記録媒体、半導体メモリ等のコンピュータが読取可能な記録媒体に記憶した状態で提供し得る。また、インターネット等の通信手段を用いて処理装置２０、サーバ装置３０にダウンロードさせてもよい。
【００１８】
本実施の形態に係る処理装置２０は、他人に見せたい又は自身が見たい画像であるが視認し難くしたい画像である特殊画像の視認性の度合いを、ユーザの要望に応じて調整する機能を有する。処理装置２０は、特殊画像を変更したり加工したりした画像と、ベースとなる基準画像とを合成することで、特殊画像の視認性の度合いを調整する。
以下に、視認性の度合い調整する機能を実現する構成について詳述する。
【００１９】
図４は、処理装置２０の機能構成を例示したブロック図である。
処理装置２０は、表示機構２０５に画像を表示させる表示部２１と、視認させたい画像である特殊画像等の情報を取得する取得部２２と、取得部２２が取得した特殊画像を変更した変更後特殊画像を生成する画像変更部２３と、画像変更部２３が生成した変更後特殊画像を加工して加工後特殊画像を生成する画像加工手段の一例としての画像加工部２４とを備えている。画像加工部２４は、後述する視認性制御データを用いて加工後特殊画像を加工する。
【００２０】
処理装置２０は、さらに、ベースとなる基準画像と、画像変更部２３が生成した変更後特殊画像または画像加工部２４が生成した加工画像の一例としての加工後特殊画像とを合成する画像合成手段の一例としての画像合成部２５と、画像合成部２５が合成した合成画像を出力する画像出力部２６とを備えている。
また、処理装置２０は、ユーザが特殊画像を視認可能となる条件を示唆する示唆情報を示唆画像として付与する示唆画像付与手段の一例としての示唆画像付与部２７と、最終的に完成した完成画像のファイルを生成するファイル生成部２８とを備えている。
表示部２１、取得部２２、画像変更部２３、画像加工部２４、画像合成部２５、画像出力部２６、示唆画像付与部２７及びファイル生成部２８は、ＣＰＵ２０１が、メインメモリ２０２やＨＤＤ２０３に記憶された制御プログラムを実行することにより実現される。
【００２１】
図５は、基準画像、特殊画像、視認性制御データの一例を示す図である。
基準画像は、図５（ａ）に示すように、織物や紙などの手触りや肌ざわり、着心地など、人がものに触れた時に感じる材質感を持たせた風合い画像、任意の色で塗りつぶした塗りつぶし画像、花などの自然画像であることを例示することができる。
特殊画像は、他人に見せたい又は自身が見たい画像であるが視認し難くしたい画像である。特殊画像は、文字や図形であることを例示することができる。図５（ｂ）に示すように、文字としては、感謝などを伝えるメッセージ、会社名や商品名等のロゴであることを例示することができる。図形は、会社のロゴであることを例示することができる。
視認性制御データは、物の表面の質感・手触り感等を持たせたテクスチャ、縞模様等のパターン、花などの自然画像であることを例示することができる。
なお、これら基準画像、特殊画像及び視認性制御データは、ＨＤＤ２０３に記憶されていても良いし、サーバ装置３０に記憶されていても良い。
【００２２】
（表示部２１）
図６は、表示機構２０５に表示されるメニュー画面の一例を示した図である。
図７は、表示機構２０５に表示される視認性制御詳細設定画面の一例を示した図である。
表示部２１は、図６に示したメニュー画面や、図７に示した視認性制御詳細設定画面を表示機構２０５に表示させる。
【００２３】
図６に示したメニュー画面には、基準画像を指定するための画面６１と、特殊画像を指定するための画面６２と、視認性制御データを指定するための画面６３と、ユーザが簡易に視認性の度合い指定するための視認性制御スライダ画面６４とが表示されている。また、図６に示したメニュー画面には、完成した画像のプレビュー画面６５と、図７に示した視認性制御詳細設定画面に移行するためのアイコン６６と、プレビュー画面に表示した画像のファイルを生成するためのアイコン６７とが表示されている。
【００２４】
図７に示した視認性制御詳細設定画面には、ユーザが簡易に視認性の度合い指定するための視認性制御スライダ画面７１と、ユーザが詳細に視認性の度合い設定するための詳細設定画面７２と、視認性制御スライダ画面７１を用いるか詳細設定画面７２を用いるかを選択する選択アイコン７３とが表示されている。また、図７に示した視認性制御詳細設定画面には、完成した画像のプレビュー画面７４と、図６に示したメニュー画面に移行するためのアイコン７５と、プレビュー画面７４に表示した画像のファイルを生成するためのアイコン７６とが表示されている。
なお、視認性制御詳細設定画面においては、画像高さ（後述するＹ）、角度（後述する視認角度θ）、濃淡、視点、時間、年齢等を指定することが可能になっている。視点は、特殊画像をどの方向から見るかを指定するものであり、例えば、下から、上から、左から、右から、斜め左下からなどを指定することが可能になっている。
【００２５】
（取得部２２）
取得部２２は、表示機構２０５に表示された図６に示すメニュー画面、入力デバイス２０６を介して指定された基準画像、特殊画像、視認性制御データを取得する。また、取得部２２は、表示機構２０５に表示されたメニュー画面上の視認性制御スライダ、入力デバイス２０６を介して、ユーザが指定した視認性の度合いを取得する。また、取得部２２は、表示機構２０５に表示された図７に示す視認性制御詳細設定画面、入力デバイス２０６を介して指定された、画像高さ、角度、濃淡、視点、時間、年齢を取得する。
【００２６】
（画像変更部２３）
画像変更部２３は、基準画像に対して、変更した特殊画像（変更後特殊画像）を合成できるように特殊画像を変更する。画像変更部２３は、取得部２２が取得した、図６に示したメニュー画面又は図７に示した視認性制御詳細設定画面上の視認性制御スライダを介してユーザが指定した視認性の度合いに基づいて特殊画像を加工する。つまり、画像変更部２３は、ユーザが選択した視認性の度合いが低いほど特殊画像がわかり難くなるように変更する。他方、画像変更部２３は、ユーザが選択した視認性の度合いが高いほど特殊画像のわかり難くさが小さくなるように変更する。
【００２７】
図８（ａ）は特殊画像の一例を示す図であり、図８（ｂ）、図８（ｃ）は変更後特殊画像の一例を示す図である。
図８（ａ）に示した特殊画像８１は、「いつもありがとうございます」という文字であり、特殊画像８１が表示された表示機構２０５の表示画面又は記録媒体の表面（以下、表示画面及び記録媒体の表面を「媒体面」と称す場合もある。）を直角に見た場合に、特殊画像８１の高さ（文字高さ）がＹ（例えば２ｃｍ）であるとする。
【００２８】
図９（ａ）は媒体面と視認角度θとの関係を示す図である。図９（ｂ）は図８（ｃ）に示した変更後特殊画像８１ｃを視認角度θから見た図の概略図である。
図８（ｂ）、図８（ｃ）は、特殊画像８１（「いつもありがとうございます」）の視認性を低下させた変更後特殊画像８１ｂ、８１ｃを示す図である。図８（ｂ）、図８（ｃ）に示した変更後特殊画像８１ｂ、８１ｃは、図８（ａ）に示した特殊画像８１を、文字高さ方向に拡大した画像である（幅方向（文字並び方向）は同じ）。媒体面における変更後特殊画像８１ｂ（８１ｃ）の高さ（文字高さ）をＹｂ（Ｙｃ）、媒体面に対して直角な方向Ｚに対する媒体面を見る方向の角度である視認角度をθとすると、Ｙｂ×ｃｏｓθ＝Ｙ（Ｙｃ×ｃｏｓθ＝Ｙ）であり、Ｙｂ＝Ｙ／ｃｏｓθ（Ｙｃ＝Ｙ／ｃｏｓθ）となる。言い換えると、媒体面において高さＹｂ（Ｙｃ）の変更後特殊画像８１ｂ（８１ｃ）を、視認角度θ方向に見た場合の画像の高さ（文字高さ）がＹとなる。ユーザが特殊画像８１の高さ（文字高さ）がＹである場合に最も特殊画像８１を視認し易い（視認性が最も高い）とすると、媒体面における高さＹｂ（Ｙｃ）の変更後特殊画像８１ｂ（８１ｃ）を最も視認し易い（視認性が最も高い）視認角度θは、θ＝ｃｏｓ−１（Ｙ／Ｙｂ）（θ＝ｃｏｓ−１（Ｙ／Ｙｃ））である。視認角度θが小さいほど視認し易い（視認性が高い）。他方、視認角度θが大きいほど視認し難い（視認性が低い）。なお、図８（ｂ）には、視認角度θが４５°である場合の変更後特殊画像８１ｂ、図８（ｃ）には、視認角度θが７５°である場合の変更後特殊画像８１ｃを示している。図９（ｂ）には、記録媒体Ｐに形成された変更後特殊画像８１ｃを視認角度θ＝７５°で見た場合の概略図を示している。
【００２９】
図８（ｂ）、図８（ｃ）に示した変更後特殊画像８１ｂ、８１ｃは、図８（ａ）に示した特殊画像８１を、文字高さ方向に拡大した画像であるが、画像変更部２３は、文字高さ方向に縮小しても良いし、幅方向（文字並び方向）に拡大又は縮小しても良い。また、画像変更部２３は、台形変更や遠近法を使って特殊画像８１を変更させても良い。
【００３０】
画像変更部２３は、基準画像と変更後特殊画像の各画像の縦と横の画素数が同じになるように特殊画像を変更することを例示することができる。画像変更部２３は、変更後特殊画像の画素数と基準画像の画素数とを同じにする際には、予め定められたサイズの特殊画像を繰り返して配置したり、拡大縮小したり、不要な画素数をカットしたりする。また、画像変更部２３は、予め定められたサイズの特殊画像を繰り返して配置する場合には、基準画像の中心の位置と、繰り返して配置された特殊画像の中心の位置とを合わせるようにする。
【００３１】
図１０（ａ）は特殊画像の一例を示す図であり、図１０（ｂ）、図１０（ｃ）は変更後特殊画像の他の例を示す図である。
画像変更部２３は、特殊画像の濃度や色を変更したものを変更後特殊画像としても良い。例えば、画像変更部２３は、ユーザが選択した視認性の度合いが低いほど、変更後特殊画像の濃度が薄くなるように変更する。図１０（ｂ）には、図１０（ａ）に示した特殊画像８１よりも視認性を低くするために、濃度を、図１０（ａ）に示した特殊画像８１の濃度よりも薄くした変更後特殊画像８１ｃを示している。図１０（ｃ）には、図１０（ｂ）に示した変更後特殊画像８１ｃよりも視認性を低くするために、濃度を、図１０（ｂ）に示した変更後特殊画像８１ｃの濃度よりも薄くした変更後特殊画像８１ｄを示している。
【００３２】
画像変更部２３は、特殊画像の形状を変化させるとともに特殊画像の濃度を変化させることで変更後特殊画像としても良い。つまり、画像変更部２３は、図６に示したメニュー画面又は図７に示した視認性制御詳細設定画面上の視認性制御スライダを介してユーザが選択した視認性の度合いに基づいて、特殊画像の形状の変化と特殊画像の濃度の変化とを組み合わせることで特殊画像を変更した変更後特殊画像を生成しても良い。
【００３３】
また、画像変更部２３は、図７に示した視認性制御詳細設定画面上の詳細設定画面７２に入力された画像高さ、角度、濃淡、視点に基づいて、特殊画像を変化させても良い。例えば、図７に示した視認性制御詳細設定画面のように、画像高さが２ｃｍ、角度が７５°、視点が下から、と指定されている場合には、画像変更部２３は、下から視認角度７５°で見た場合に画像高さが２ｃｍの特殊画像が見えるように特殊画像を変化させる。
【００３４】
（画像加工部２４）
画像加工部２４は、ユーザが視認性制御データを指定した場合には、図６に示したメニュー画面又は図７に示した視認性制御詳細設定画面上の視認性制御スライダを介して指定された視認性の度合いに応じた視認性となるように視認性制御データを用いて変更後特殊画像を加工する。つまり、画像加工部２４は、ユーザが選択した視認性の度合いが低いほど、特殊画像がわかり難くなるように変更後特殊画像を加工する。他方、画像加工部２４は、ユーザが選択した視認性の度合いが高いほど、特殊画像のわかり難くさが小さくなるように変更後特殊画像を加工する。
【００３５】
図１１（ａ）は視認性制御データの一例を示す図であり、図１１（ｂ）、図１１（ｃ）は加工後特殊画像の一例を示す図である。
図１１（ｂ）には、図８（ｃ）に示した変更後特殊画像８１ｃよりも視認性を低くするために、図１１（ａ）に示した視認性制御データ（テクスチャ）を用いて変更後特殊画像８１ｃを加工した加工後特殊画像８１ｅを示している。図１１（ｃ）には、図１１（ｂ）に示した加工後特殊画像８１ｅよりも視認性を低くするために、図１１（ａ）に示した視認性制御データ（テクスチャ）を用いて変更後特殊画像８１ｃを加工した加工後特殊画像８１ｆを示している。
【００３６】
画像加工部２４は、表示機構２０５に表示された図７に示した視認性制御詳細設定画面、入力デバイス２０６を介してユーザにより指定された、時間や年齢に応じた加工後特殊画像となるように変更後特殊画像を加工しても良い。
高齢になるほど視認し難くなると考えられるので、例えば、指定された年齢が予め定められた年齢以上である場合には、指定された年齢が予め定められた年齢未満である場合よりも特殊画像に対する加工量を小さくして、特殊画像を視認し易くする。例えば、図１１（ｂ）に示した加工後特殊画像８１ｅが、指定された年齢が予め定められた年齢以上である場合の画像であり、図１１（ｃ）に示した加工後特殊画像８１ｆが、指定された年齢が予め定められた年齢未満である場合の画像である。
【００３７】
また、画像加工部２４は、特殊画像に対する加工度合いが大きいほど視認し難くなるので、時間指定画面において指定された時間が長いほど特殊画像に対する加工量を大きくして、特殊画像を視認し難くする。例えば、図１１（ｃ）に示した加工後特殊画像８１ｆが、指定された時間が数分である場合の画像であり、図１１（ｂ）に示した加工後特殊画像８１ｅが、指定された時間が数秒である場合の画像である。
【００３８】
その他、画像加工部２４は、視認する環境（明るさ（昼、夜、部屋の中、部屋の外など）、時間帯）や、視認する者の特性（色覚障害者）なども指定可能にして、加工量を調整しても良い。
【００３９】
（画像合成部２５）
図１２は、合成画像８２が形成された記録媒体Ｐを示す図である。
また、画像合成部２５は、表示機構２０５に表示された図６に示したメニュー画面、入力デバイス２０６を介して、基準画像と特殊画像と視認性制御データとが指定された場合には、指定された基準画像と、画像加工部２４が加工した加工後特殊画像とを合成して合成画像８２を生成する。
画像合成部２５は、基準画像と加工後特殊画像とを合成する際に、加工後特殊画像の階調を反転してから合成しても良い。例えば、加工後特殊画像の文字を黒のままで合成するよりも階調を反転（いわゆるネガポジ反転（高濃度部（例えば黒色の文字）と低濃度部（例えば白色の部分）とを反転））してから合成する方が視認し難くなるため、画像合成部２５は、指定された視認性の度合いに応じて加工後特殊画像の階調を反転してから合成しても良い（基準画像と合成する前に加工後特殊画像の信号を反転すると良い）。これにより、基準画像のデザイン性を阻害することなく、視認性を低下させることが可能となる。なお、図１２に示した合成画像８２は、「いつもありがとうございます」という文字が幅方向（文字並び方向）に４つ繰り返して配置された特殊画像が文字高さ方向に拡大された変更後特殊画像が、図１１（ａ）に示した視認性制御データ（テクスチャ）を用いて加工された加工後特殊画像の階調が反転された画像と、基準画像とが合成された画像である。
【００４０】
また、画像合成部２５は、表示機構２０５に表示された図６に示したメニュー画面、入力デバイス２０６を介して、基準画像と特殊画像とが指定され、視認性制御データが指定されていない場合には、指定された基準画像と、画像変更部２３が変更した変更後特殊画像とを合成して合成画像を生成する。
なお、画像合成部２５は、基準画像と変更後特殊画像とを合成する際に、変更後特殊画像の階調を反転してから合成しても良い。これにより、基準画像のデザイン性を阻害することなく、視認性を低下させることが可能となる。
【００４１】
画像合成部２５は、特殊画像に応じて加工後特殊画像又は変更後特殊画像の階調を反転するか否かを決定しても良い。例えば、特殊画像が自然画である場合には階調を反転しないようにしても良い。
【００４２】
（画像出力部２６）
画像出力部２６は、表示機構２０５に表示された図６に示すメニュー画面上の視認性制御スライダ、入力デバイス２０６を介して、ユーザが視認性の度合いを指定した場合には、画像合成部２５が合成した合成画像を、視認性確認用プレビューとして図６に示すメニュー画面上のプレビュー画面６５に出力する。言い換えれば、画像出力部２６は、プレビュー画面６５に、基準画像と、画像変更部２３が変更した変更後特殊画像又は画像加工部２４が加工した加工後特殊画像とを出力する。
【００４３】
また、画像出力部２６は、表示機構２０５に表示された図７に示す視認性制御詳細設定画面、入力デバイス２０６を介して、画像高さ、角度、濃淡、視点、時間、年齢等が指定された場合には、画像合成部２５が合成した合成画像を、視認性確認用プレビューとして図７に示す視認性制御詳細設定画面上のプレビュー画面７４に出力する。言い換えれば、画像出力部２６は、プレビュー画面７４に、基準画像と、画像変更部２３が変更した変更後特殊画像又は画像加工部２４が加工した加工後特殊画像とを出力する。
【００４４】
画像出力部２６は、プレビュー画面６５又はプレビュー画面７４に視認性確認用プレビュー画像を表示させる際には、表示した合成画像を拡大、縮小するための「＋」、「−」と記載されたアイコン、合成画像を回転させる向きを示す矢印が記載されたアイコン等を表示させると良い。
【００４５】
（示唆画像付与部２７）
示唆画像付与部２７は、ユーザが特殊画像を視認可能となる条件を示唆する示唆情報を示唆画像８３（図１２参照）として合成画像に付与する。示唆画像付与部２７は、表示機構２０５に表示された図６に示すメニュー画面上の視認性制御スライダ、入力デバイス２０６を介して、ユーザが視認性の度合いを指定したことに起因して合成画像が生成された場合には、画像変更部２３が変更後特殊画像を生成する際に用いたパラメータに基づいて示唆情報を把握して示唆画像を生成する。
示唆画像付与部２７は、表示機構２０５に表示された図７に示す視認性制御詳細設定画面、入力デバイス２０６を介して、画像高さ、角度、濃淡、視点、時間、年齢等のパラメータが指定されたことに起因して合成画像が生成された場合には、指定されたパラメータに基づいて示唆情報を把握して示唆画像を生成する。
【００４６】
示唆画像としては、特殊画像を視認可能な条件を示す画像であることを例示することができる。例えば、図１２に示す「下から見てね！」や「７５°傾けて見てね！」など見る方向を示す文字情報の画像、「暗いところで見てね！」など視認する環境を示す文字情報の画像であることを例示することができる。また、示唆画像としては、文字情報つきの図形（例えば下から上に向かう矢印）、図形のみであっても良い。
なお、示唆画像付与部２７は、表示機構２０５や入力デバイス２０６を介してユーザが指定した示唆情報を示唆画像としても良い。
【００４７】
（ファイル生成部２８）
ファイル生成部２８は、ユーザが視認性確認用プレビューを見て、表示された合成画像を完成した画像として決定するべく図６又は図７に示す画面に表示された「ファイル生成」と記載されたアイコン６７やアイコン７６を押した場合に、合成画像のファイルを生成する。ファイル生成部２８は、ファイル生成時に、サイズ（例えばＡ４）と解像度（例えば３００ｄｐｉ）を指定するか、画素数（例えば４２００×２８００）を指定するとともにファイルフォーマット（例えばＴＩＦＦやＪＰＥＧ）を指定する。
【００４８】
図１３は、図１２に示した記録媒体Ｐを視認角度θから見た図の概略図である。
画像出力部２６は、ユーザからの要求に応じて画像形成装置１０にて印刷するべくファイル生成部２８が生成した合成画像のファイルのデータを画像形成装置１０に出力する。図１２には、画像形成装置１０にて合成画像が形成された記録媒体Ｐを示している。そして、視認者が記録媒体Ｐを視認角度θにて下方から見ると（示唆画像８３が示唆する方向に見ると）、図１３に示すように、「いつもありがとうございます」という文字が幅方向（文字並び方向）に４つ繰り返して配置された特殊画像を視認することが可能となる。
【００４９】
以上説明したように、処理装置２０は、視認者が視認する対象となる対象画像の一例としての特殊画像を取得する取得手段の一例としての取得部２２と、特殊画像の視認性の度合いを受け付ける受付手段の一例としての表示機構２０５と、表示機構２０５が受け付けた度合いとなるように特殊画像を変更する画像変更手段の一例としての画像変更部２３と、画像変更部２３が変更した変更画像の一例としての変更後特殊画像に応じた画像（例えば合成画像）についての出力物の一例としての表示機構２０５に表示された画像を出力する出力手段の一例としての画像出力部２６とを備える画像処理装置の一例である。そして、処理装置２０の画像変更部２３は、視認者が出力物を視認するときの当該出力物との位置関係によって視認性の度合いが変わるように変更する。
このように構成された処理装置２０は、特殊画像を視認し難くさせつつ、特別な環境下でなくても、視認者が出力物を視認するときの当該出力物との位置関係によって特殊画像を視認可能とさせる。
【００５０】
また、表示機構２０５は、視認者が視認する対象となる特殊画像を表示する対象画像表示部の一例としての画面６２と、特殊画像の視認性の度合いの指定を受け付ける受付部の一例としての視認性制御スライダ画面６４と、視認性制御スライダ画面６４が受け付けた度合いとなるように特殊画像が変更された変更画像を出力画像として表示する出力画像表示部の一例としてのプレビュー画面６５とを備える表示装置の一例である。
このように構成された表示機構２０５は、ユーザに視認性の度合いの指定や視認性の度合いが調整された画像の確認を簡易に行わせる。
【００５１】
なお、上述した実施の形態においては、特殊画像は１種類であるが、特殊画像の数は複数であっても良い。
図１４は、複数の特殊画像を組み合わせた場合の合成画像を示す図である。
図１４に示すように、合成画像１４ｄは、例えば、基準画像１４ａと、一方向（図１４においては縦方向）に向いている一の特殊画像１４ｂと、他方向（図１４においては横方向）に向いている他の特殊画像１４ｃとを合成した画像であっても良い。複数の特殊画像を組み合わせることで、各特殊画像が視認性を制御するデータとしての役割を果たす。なお、図１４に示した例では、一の特殊画像１４ｂと他の特殊画像１４ｃとが変更させられていないが、一の特殊画像１４ｂ及び他の特殊画像１４ｃの少なくともいずれかの特殊画像が変更させられた後に合成されることで合成画像が生成されても良い。
【００５２】
また、上述した実施の形態においては、画像合成部２５は、基準画像と、画像変更部２３が変更した変更後特殊画像又は画像加工部２４が加工した加工後特殊画像とを合成して合成画像を生成しているが特にかかる態様に限定されない。画像合成部２５は、基準画像と特殊画像とを合成した後に変更したり加工したりすることで合成画像を生成しても良い。
【００５３】
また、上述した実施の形態においては、処理装置２０のＣＰＵ２０１が、メインメモリ２０２やＨＤＤ２０３に記憶された制御プログラムを実行することにより、表示部２１、取得部２２、画像変更部２３、画像加工部２４、画像合成部２５、画像出力部２６、示唆画像付与部２７及びファイル生成部２８を実現しているが特にかかる態様に限定されない。例えば、画像形成装置１０のＣＰＵ１０２が、ＲＯＭ１０３やＨＤＤ（Hard Disk Drive）等の記憶部１０５に記憶された制御プログラムを実行することにより、表示部２１、取得部２２、画像変更部２３、画像加工部２４、画像合成部２５、画像出力部２６、示唆画像付与部２７及びファイル生成部２８を実現してもよい。つまり、画像形成装置１０が、表示部２１、取得部２２、画像変更部２３、画像加工部２４、画像合成部２５、画像出力部２６、示唆画像付与部２７及びファイル生成部２８を備えていても良い。
【００５４】
そして、画像形成装置１０の表示部２１は、図６に示したメニュー画面や、図７に示した視認性制御詳細設定画面を表示装置１０７に表示させる。また、画像形成装置１０の取得部２２は、表示装置１０７に表示された図６に示すメニュー画面、操作部１０６を介して指定された基準画像、特殊画像、視認性制御データを取得する。また、画像形成装置１０の取得部２２は、表示装置１０７に表示されたメニュー画面上の視認性制御スライダ、操作部１０６を介して、ユーザが指定した視認性の度合いを取得する。また、画像形成装置１０の取得部２２は、表示装置１０７に表示された図７に示す視認性制御詳細設定画面、操作部１０６を介して指定された、画像高さ、角度、濃淡、視点、時間、年齢を取得する。
【００５５】
また、画像形成装置１０の画像出力部２６は、表示装置１０７に表示された図６に示すメニュー画面上のプレビュー画面６５や図７に示す視認性制御詳細設定画面上のプレビュー画面７４に、画像合成部２５が合成した合成画像を出力する。そして、画像形成装置１０の画像出力部２６は、表示装置１０７に表示されたプリントを要求するアイコンが押された場合には、画像合成部２５が合成した合成画像や示唆画像付与部２７が付与する示唆画像を、画像形成部１０９にて記録媒体に形成させた後に出力させる。
【００５６】
かかる場合、画像形成装置１０は、視認者が視認する対象となる特殊画像を取得する取得部２２と、特殊画像の視認性の度合いを受け付ける表示装置１０７と、表示装置１０７が受け付けた度合いとなるように特殊画像を変更する画像変更部２３と、画像変更部２３が変更した変更後特殊画像に応じた画像（例えば合成画像）が形成された出力物の一例としての記録媒体を出力する画像出力部２６とを備える画像処理装置の一例である。そして、画像形成装置１０の画像変更部２３は、視認者が出力物（記録媒体）を視認するときの当該出力物（記録媒体）との位置関係によって視認性の度合いが変わるように変更する。
このように構成された画像形成装置１０は、特殊画像を視認し難くさせつつ、特別な環境下でなくても、視認者が出力物を視認するときの当該出力物との位置関係によって特殊画像を視認可能とさせる。
【００５７】
また、画像形成装置１０の表示装置１０７は、視認者が視認する対象となる特殊画像を表示する画面６２と、特殊画像の視認性の度合いの指定を受け付ける視認性制御スライダ画面６４と、視認性制御スライダ画面６４が受け付けた度合いとなるように特殊画像が変更された変更画像を出力画像として表示するプレビュー画面６５とを備える表示装置の一例である。
このように構成された表示装置１０７は、ユーザに視認性の度合いの指定や視認性の度合いが調整された画像の確認を簡易に行わせる。
【符号の説明】
【００５８】
１…画像形成システム、１０…画像形成装置、２０…処理装置、２１…表示部、２２…取得部、２３…画像変更部、２４…画像加工部、２５…画像合成部、２６…画像出力部、２７…示唆画像付与部、２８…ファイル生成部、３０…サーバ装置、４０…通信回線
【図１】
2018046380.tif 000003
【図２】
2018046380.tif 000004
【図３】
2018046380.tif 000005
【図４】
2018046380.tif 000006
【図５】
2018046380.tif 000007
【図６】
2018046380.tif 000008
【図７】
2018046380.tif 000009
【図８】
2018046380.tif 000010
【図９】
2018046380.tif 000011
【図１０】
2018046380.tif 000012
【図１１】
2018046380.tif 000013
【図１２】
2018046380.tif 000014
【図１３】
2018046380.tif 000015
【図１４】
2018046380.tif 000016